(57)【要約】      （修正有）【課題】コンクリート製の重い水渠用蓋版でも一人で効率良く設置することのできる簡便な装置を提供する。【解決手段】水渠の上端開口部１３よりも横幅が小さく設定されて上面に蓋版１４が載せられる荷台２と、蓋受部１２に対応して荷台２の底部両側に設けられる左右一対の前輪及び後輪と、荷台２の後部両側縁より水平方向に突出する左右一対の横軸５と、荷台２の後端より当該荷台の上面側に突出して水渠上に立て置かれた蓋版１４を荷台２に向けて倒し込むための引掛金具４とを備える。荷台２は、引掛金具４を下向きにして水渠上に起立させたとき、水渠の上端縁に掛かる横軸５を支点として前後方向に揺動可能に支持される。又、横軸５は、前輪及び後輪を蓋受部１２に載せたときに水渠の上端縁よりも上方に離間する位置で荷台２に固設される。【選択図】図１０
2010285120.tif 000002
【特許請求の範囲】
【請求項１】
水路部の上端に当該水路部よりも幅広の蓋版を支持する左右一対の蓋受部が形成される水渠の上端開口部に前記蓋版を嵌め込む装置であり、
前記水渠の上端開口部よりも横幅が小さく設定されて上面に前記蓋版が載せられる荷台と、前記蓋受部に対応して前記荷台の底部両側に設けられる左右一対の前輪及び後輪と、前記荷台の後部両側縁より水平方向に突出する左右一対の横軸と、前記荷台の後端より当該荷台の上面側に突出して前記水渠上に立て置かれた蓋版を前記荷台に向けて倒し込むための引掛金具とを備え、
前記荷台は、前記引掛金具を下向きにして水渠上に起立させたとき、前記水渠の上端縁に掛かる前記横軸を支点として前後方向に揺動可能に支持され、
前記横軸は、前記前輪及び後輪を蓋受部に載せたときに水渠の上端縁よりも上方に離間する位置で前記荷台に固設されることを特徴とする水路蓋の設置運搬用台車装置。
【請求項２】
荷台には、その上面よりも低い位置で前方に張り出すノーズ部が一体に設けられ、そのノーズ部の横幅が前記水路部の横幅よりも小さく設定されていることを特徴とする請求項１記載の水路蓋の設置運搬用台車装置。
【請求項３】
荷台を前傾姿勢にしたとき当該荷台の前端が蓋受部よりも上方となる位置で前輪と共に蓋受部に転がり接触する補助輪を備えていることを特徴とする請求項１、又は２記載の水路蓋の設置運搬用台車装置。
【請求項４】
前輪又は後輪の回転を抑止するブレーキ装置を備えていることを特徴とする請求項１〜３のいずれか１項に記載の水路蓋の設置運搬用台車装置。
【請求項５】
荷台の上面に、その前後方向に沿って延びる凸条が並列状に設けられていることを特徴とする請求項１〜４のいずれか１項に記載の水路蓋の設置運搬用台車装置。
【発明の詳細な説明】
【技術分野】
【０００１】
本発明は、Ｕ字溝などにより構築される側溝その他の水渠上に蓋版を設置するのに用いられる台車装置に関する。
【背景技術】
【０００２】
従来、Ｕ字溝から作られる側溝上に蓋版を設置する装置として、蓋版の両側を掴む一対の爪状部材を備えた吊下げ型が公知である（例えば、特許文献１）。
【０００３】
しかし、特許文献１に開示されるような吊下げ型の装置では、その使用に際して装置本体とは別に、クレーンなどの重機のほか、重機のオペレータと、側溝上に降ろされた蓋版の位置決めなどを行う手元作業者が必要であり、しかも重機による蓋版の移送中には吊下げられた蓋版が揺れるために危険を伴い、それ故に作業も捗らず、一つの蓋版を定位置に設置するのに１０分程度の時間を要した。
【０００４】
尚、重機を使用しない工夫として、公知の一輪車に改良を施した手押し車を備える側溝蓋吊上具なるものも提案されている（例えば、特許文献２）。
【先行技術文献】
【特許文献】
【０００５】
【特許文献１】登録実用新案第３０２１９８８号公報
【特許文献２】特開２００４−２５６１９４号公報
【発明の概要】
【発明が解決しようとする課題】
【０００６】
しかしながら、特許文献２の装置も蓋版を手押し車で吊って移送する吊下げ型であるから、移送中の蓋版が揺れて危険であり、しかも吊られた蓋版が揺れるから手押し車のオペレータが側溝上の定位置に蓋版を案内することは至極困難で、その設置に時間を要するものと推認される。
【０００７】
本発明は以上のような事情に鑑みて成されたものであり、その目的はコンクリート製の重い蓋版でも一人で効率良く設置することのできる簡便な装置を提供することにある。
【課題を解決するための手段】
【０００８】
本発明は上記目的を達成するため、
水路部の上端に当該水路部よりも幅広の蓋版を支持する左右一対の蓋受部が形成される水渠の上端開口部に前記蓋版を嵌め込む装置であり、
前記水渠の上端開口部よりも横幅が小さく設定されて上面に前記蓋版が載せられる荷台と、前記蓋受部に対応して前記荷台の底部両側に設けられる左右一対の前輪及び後輪と、前記荷台の後部両側縁より水平方向に突出する左右一対の横軸と、前記荷台の後端より当該荷台の上面側に突出して前記水渠上に立て置かれた蓋版を前記荷台に向けて倒し込むための引掛金具とを備え、
前記荷台は、前記引掛金具を下向きにして水渠上に起立させたとき、前記水渠の上端縁に掛かる前記横軸を支点として前後方向に揺動可能に支持され、
前記横軸は、前記前輪及び後輪を蓋受部に載せたときに水渠の上端縁よりも上方に離間する位置で前記荷台に固設されることを特徴とする。
【０００９】
加えて、荷台には、その上面よりも低い位置で前方に張り出すノーズ部が一体に設けられ、そのノーズ部の横幅が前記水路部の横幅よりも小さく設定されていることを特徴とする。
【００１０】
又、荷台を前傾姿勢にしたとき当該荷台の前端が蓋受部よりも上方となる位置で前輪と共に蓋受部に転がり接触する補助輪を備えていることを特徴とする。
【００１１】
更に、前輪又は後輪の回転を抑止するブレーキ装置を備えていることに加え、荷台の上面に、その前後方向に沿って延びる凸条が並列状に設けられていることを特徴とする。
【発明の効果】
【００１２】
本発明に係る水路蓋の設置運搬用台車装置によれば、蓋版を載せる荷台の横幅が水渠の上端開口部の横幅よりも小さく設定されると共に、荷台の底部両側には水渠の蓋受部に対応して前後一対の前輪及び後輪が設けられることから、水渠の蓋受部を軌道にして、上面に蓋版が載せられた荷台を水渠の上端開口部内でその長さ方向に沿って走行移動させることができ、しかも荷台にはその後端より上面側に突出する引掛金具が設けられると共に、荷台はその引掛金具を下向きにして水渠上に起立させたとき、水渠の上端縁に掛かる横軸を支点として前後方向に揺動可能に支持されることから、水渠上に立て置かれた蓋版に沿って荷台を起立させた後、その荷台を蓋版とは反対側に傾けながら、蓋版を引掛金具によって荷台側に倒し込んで荷台上に容易に載せ置くことができる。
【００１３】
又、横軸は、前輪及び後輪を蓋受部に載せたときに水渠の上端縁よりも上方に離間する位置で荷台に固設されるので、水渠の長さ方向に沿う荷台の走行移動が横軸によって阻害されることがなく、加えて、荷台にはその上面よりも低い位置で前方に張り出すノーズ部が設けられることから、蓋版を荷台に載せて設置箇所まで移動させたとき、先行設置された蓋版に荷台が激突して同蓋版を破損してしまうことを防止でき、更には荷台に載せられた蓋版を水渠の上端開口部に嵌合設置するべくノーズ部側に滑り落したとき、その蓋版をノーズ部により受け止めて緩衝しながら、その蓋版をノーズ部により抉って定位置に位置決めすることができる。
【００１４】
更に、荷台を前傾姿勢にしたとき当該荷台の前端が蓋受部よりも上方となる位置で前輪と共に蓋受部に転がり接触する補助輪を備えていることから、前輪と補助輪とを蓋受部に接触させた状態で荷台を抵抗なく円滑に後退させながら、蓋版を水渠の上端開口部内に徐々に落し込むことができる。
【００１５】
又、前輪又は後輪の回転を抑止するブレーキ装置を備えていることから傾斜地でも蓋版の設置作業を安全に行うことができ、更には荷台の上面にその前後方向に沿って延びる凸条が並列状に設けられているので、荷台上から蓋版の滑り落すときの抵抗を軽減することができる。
【図面の簡単な説明】
【００１６】
【図１】水渠を示す斜視図
【図２】本発明に係る台車装置を示す斜視図
【図３】同台車装置の側面図
【図４】同台車装置の平面図
【図５】図４のＸ−Ｘ断面図
【図６】本発明に係る台車装置を水渠の上端開口部内に配置した状態を示す背面図
【図７】ブレーキ装置の構成を示す説明図
【図８】本発明に係る台車装置を水渠上に起立させた状態を示す側面図
【図９】本発明に係る台車装置を水渠上に起立させた状態を示す正面図
【図１０】引掛金具による蓋版の倒し込み時の状態を示す説明図
【図１１】荷台上に蓋版が載せられた状態を示す説明図
【図１２】荷台上の蓋版を水渠の上端開口部内に設置する直前の状態を示す説明図
【図１３】蓋版の設置開始時の状態を示す説明図
【図１４】蓋版の設置完了前の状態を示す説明図
【図１５】蓋版が横向きにして立て置かれた状態を示す説明図
【発明を実施するための形態】
【００１７】
以下、図面に基づいて本発明の実施形態を詳しく説明する。先ず、図１において、１はＵ字溝を連ねてなるコンクリート製の水渠（側溝）であり、その内側下部は導水用の水路部１１とされ、水路部１１の上端には水平面状の蓋受部１２が連続して形成されている。１３は蓋受部１２を下端面とする上端開口部であり、この上端開口部１３に水路部１１よりも幅広の蓋版１４が嵌め込まれ、その左右両側縁が蓋受部１２で支持されるようになっている。蓋版１４はコンクリート製で、その前後両端面には切欠部１４ａが形成されている。
【００１８】
そして、本発明に係る台車装置は、複数の蓋版１４を水渠１の長さ方向に沿ってその上端開口部１３に順次嵌合、設置するのに用いられる。
【００１９】
図２〜図７により係る台車装置の構成について説明すれば、２は蓋版１４を載せるための荷台である。荷台２は、偏平の金属角パイプを接合するなどして形成される矩形枠状であり、その上面には棒鋼を溶接するなどしてなる凸条３が並列状に設けられている。凸条３は、荷台２の上面両側にあって前後方向に延びており、それら凸条３により荷台２に載せられた蓋版１４が支持される構成とされている。
【００２０】
又、荷台２には、その後端より上面側に突出する引掛金具４と、後部両側縁より水平方向（左右方向）に突出する左右一対の横軸５が設けられる。図示例において、引掛金具４および横軸５は、いずれも棒鋼であって、荷台２に対して溶接するなどして固着されるが、引掛金具４は棒鋼に限らず、板材を荷台２の上面に対して直角に固着したものでもよい。但し、引掛金具４の幅（図示例のような一対の棒鋼からなるものでは両者の間隔）は、水渠１の水路部１１の幅よりも小さく設定される。尚、引掛金具４と横軸５の作用については、追って説明する。
【００２１】
一方、荷台２の底部中央部には、棒鋼などから形成される長方形状の枠組み６が固着されている。枠組み６の一端部は荷台２の後方に突出してハンドル６ａとされ、他の一端部（先端部）は荷台２の前方に張り出すノーズ部６ｂとされている。ノーズ部６ｂは、荷台２の上面より低い位置にあって、荷台２に載せられた蓋版１４を降ろすときの衝撃を緩和する緩衝台として機能するほか、荷台２と前方障害物との激突を防止するバンパ、ならびに荷台２から降ろされた蓋版１４の設置位置を調整するテコとして機能する。尚、ハンドル６ａ及びノーズ部６ｂを形成する枠組み６の横幅は、図１に示した水渠１の水路部１１の横幅よりも小さく設定され、これによりハンドル６ａ及びノーズ部６ｂを蓋受部１２より下の水路部１１内に導入することが可能とされている。
【００２２】
又、荷台２の底部両側には、左右一対の前輪７１及び後輪７２が設けられる。前輪７１及び後輪７２は、水渠１に沿って荷台２を走行移動させるためのもので、このうち後輪７２は後述するブレーキ装置８により回転を抑止されている。更に、図６から明らかなように、前輪７１及び後輪７２（図６には後輪７２のみが示される）において、それらの左右中心間距離（トレッド）は左右一対の蓋受部１２の距離と合致されており、これにより前輪７１及び後輪７２のそれぞれが蓋受部１２に対して転がり接触することが可能とされている。
【００２３】
尚、図６から明らかなように、荷台２の横幅は水渠１の上端開口部１３よりも小さく設定され、これにより荷台２が水渠１の上端開口部１３内でその長さ方向に走行可能とされている。更に、上記横軸５は、荷台２の走行移動を阻害せぬよう、前輪７１及び後輪７２を蓋受部１２に載せたときに水渠１の上端縁よりも上方に離間する位置で荷台２に固設されている。
【００２４】
又、荷台２には、前輪７１よりも前端側において前輪７１よりも小径の補助輪７３が設けられ、前輪７１と補助輪７３との間にはガイドローラ７４が設けられている。ガイドローラ７４は、荷台２の上面に直交する軸回りに回転可能とされるもので、その周面は部分的に荷台２の側方に突出して水渠１上での荷台２の走行時に上端開口部１３の内壁に転がり接触する。これによれば、水渠１に沿う荷台２の走行移動をがたつき無く円滑に行うことができる。
【００２５】
ここで、上記のブレーキ装置８について説明すると、係るブレーキ装置８は、ハンドル６ａに平行して枠組み６に架設した固定軸８１、その固定軸８１により前後および上下に移動可能に保持される操作レバー８２、この操作レバー８２に平行して枠組みに回動自在に保持される回転軸８３、この回転軸８３に固着した作動板８４、この作動板８４と操作レバー８２とを繋ぐ連結軸８５、上記回転軸８３の両端部を屈曲せしめてなるブレーキシュー８６、及び作動板８４と荷台２の部位とを繋いで後輪７２の周面に対してブレーキシュー８６を圧接する方向に付勢するバネ８７から構成される。
【００２６】
そして、係るブレーキ装置８によれば、バネ８７の弾力に抗して操作レバー８２をハンドル６ａ側に引くと、連結軸８５を介して回転軸８３が図７の反時計回りに回転することにより、その回転軸８３と一体のブレーキシュー８６が後輪７２から離間して後輪７２の回転抑止を解除することができ、しかも操作レバー８２を上方に引き上げてブレーキシュー８６が後輪７２から離間した状態を維持することができる。特に、傾斜地での使用に際して、操作レバー８２を引き上げず、これを手前に引きながら運転を行うようにすれば、ハンドル６ａから誤って手を離してしまった場合でも、蓋版１４を載せた荷台２をその場に留めておくことができる。
【００２７】
次に、以上のように構成される台車装置の使用方法について説明すると、図８に示すように、水渠１上（図示例において蓋受部１２上）には上端開口部１３に嵌合設置すべき複数の蓋版１４が予め縦向きにして立て置かれる。そこで、その蓋版１４に荷台２を寄り添わすようにして同荷台２を水渠１上に起立させる。このとき、ノーズ部６ｂを把持して引掛金具４を下向きにし、左右の横軸５を水渠１の上端縁に掛けるのであり、この状態では図８、図９のように引掛金具４が蓋受部１２より少し下の水路部１１内に位置して蓋版１４の下に入り込み、荷台２はその後端（図８、図９の状態では下端）が蓋受部１２上に位置して横軸５を支点に前後方向に揺動可能となる。
【００２８】
しかして、荷台２を蓋版１４が位置する側とは反対側（図８の左方）に傾ける。すると、荷台２に寄り添った状態の蓋版１４が図１０のように引掛金具４により端面を押され、その端面を引掛金具４で支持されながら荷台２側に倒れ込むようになり、この状態で荷台２の傾きを大きくしていくと、図１１のように後輪７２が蓋受部１２上に載り、次いで前輪７１も蓋受部１２上に載るようになり、この段階で横軸５が水渠１の上端縁上に離間し、荷台２の上面には蓋版１４が載せられた状態となる。
【００２９】
そこで、操作レバー８２を引きながらハンドル６ａを握って荷台２を前方に押し込むのであり、これにより蓋受部１２を軌道にして、蓋版１４が載せられた荷台２を含む台車装置全体を蓋版１４の設置位置まで押し進めることができる。
【００３０】
尚、図１２のように台車装置が蓋版１４の設置位置に到達したとき、先に設置された蓋版（便宜上、１４ａとする）の端面に対してノーズ部６ｂが突き当たることによって、その蓋版１４ａが荷台２の激突で破損してしまうことを回避できるようになっている。
【００３１】
ここに、蓋版の設置位置では、荷台２に載せられた蓋版１４を荷台２から降ろすのであるが、これには図１３のように荷台２の後部を持ち上げて後輪７２を浮上させ、前輪７１を蓋受部１２に載せた状態のまま荷台２を前傾姿勢とする。すると、蓋版１４が荷台２上から滑り落ち、その前側角部が蓋受部１２上に接触するようになる。しかして、台車装置を後方に引くのであるが、このとき荷台２は蓋受部１２に接触せず、その前端が蓋受部１２上にあって前輪７１及び補助輪７３が蓋受部１２に転がり接触するようにしてあることから、傾斜状態にある蓋版１４の下から荷台２を円滑に引き抜きながら、その蓋板１４を水渠の上端開口部１３内に徐々に落し込むことができる。
【００３２】
図１４のように、蓋版１４の下から荷台２が引き抜かれると、蓋版１４の後部がノーズ部６ｂ上に載り、そのノーズ部６ｂによって蓋受部１２上への蓋版１４の急降下による衝撃が緩和される。しかして、荷台２を図１４に示す状態から再度前方に大きく傾斜させることによって、蓋版１４を水渠１の上端開口部１３に嵌合設置することができるが、このときノーズ部６ｂを上下動させて蓋版１４を抉りながら、荷台２の前端で蓋版１４の端面を押圧することにより、係る蓋版１４を先行設置された蓋版１４ａとの間に隙間無く適切に設置することができる。
【００３３】
このように、本発明に係る台車装置によれば、側溝その他の水渠１に蓋版１４を迅速かつ容易に嵌合設置することができ、しかも蓋版１４を荷台２に載せて設置すべき位置まで移動させることができるので作業を安全に行うことができる。特に、重機を使用せずして設置作業を行えるので、重機のオペレータが要らず人件費を削減でき、地球温暖化に関係する二酸化炭素の発生も抑制することができる。
【００３４】
以上、本発明の好適な実施態様を説明したが、蓋版１４は上記例のように水渠１上に縦向きにして立て置かれるとは限らず、図１５のように横向きにして立て置かれる場合もある。このため、横軸５を荷台２に対して着脱自在とし、その取付位置を水渠１上での蓋版１４の立て置かれた態様に応じて切り換え得るようにすることが好ましい。尚、図１５のように、蓋版１４が水渠１の上端に横向きにして立て置かれた場合、横軸５は図１０に示す位置よりも引掛金具４に近い荷台２の後端付近の両側縁より水平方向に突出されるのであり、これによれば横向き状態で立て置かれた蓋版１４に沿って荷台２を起立させながら、同蓋版１４の直下に引掛金具４を位置付けて荷台２側への蓋版１４の倒し込みを行うことができる。但し、この場合、荷台２に載せられた蓋版１４は設置前に荷台２上で９０度回される。
【００３５】
又、本発明において、蓋版１４の設置対象となる水渠１は側溝に限らず、農業用水路などでもよく、要は水路部１１の上端に蓋版１４を支持する蓋受部１２が形成されているものであればよい。
【符号の説明】
【００３６】
１  水渠
１１  水路部
１２  蓋受部
１３  上端開口部
１４  蓋版
２  荷台
３  凸条
４  引掛金具
５  横軸
６ａ  ハンドル
６ｂ  ノーズ部
７１  前輪
７２  後輪
７３  補助輪
８  ブレーキ装置
８２  操作レバー
８６  ブレーキシュー
【図１】
2010285120.tif 000003
【図２】
2010285120.tif 000004
【図３】
2010285120.tif 000005
【図４】
2010285120.tif 000006
【図５】
2010285120.tif 000007
【図６】
2010285120.tif 000008
【図７】
2010285120.tif 000009
【図８】
2010285120.tif 000010
【図９】
2010285120.tif 000011
【図１０】
2010285120.tif 000012
【図１１】
2010285120.tif 000013
【図１２】
2010285120.tif 000014
【図１３】
2010285120.tif 000015
【図１４】
2010285120.tif 000016
【図１５】
2010285120.tif 000017
【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
水路部の上端に当該水路部よりも幅広の蓋版を支持する左右一対の蓋受部が形成される水渠の上端開口部に前記蓋版を嵌め込む装置であり、
前記水渠の上端開口部よりも横幅が小さく設定されて上面に前記蓋版が載せられる荷台と、前記蓋受部に対応して前記荷台の底部両側に設けられる左右一対の前輪及び後輪と、前記荷台の後部両側縁より水平方向に突出する左右一対の横軸と、前記荷台の後端より当該荷台の上面側に突出して前記水渠上に立て置かれた蓋版を前記荷台に向けて倒し込むための引掛金具と、前記荷台を前傾姿勢にしたとき当該荷台の前端が前記蓋受部よりも上方となる位置で前記前輪と共に前記蓋受部に転がり接触する補助輪とを備え、
前記荷台は、前記引掛金具が下側となるようにして荷台を水渠上に起立させたとき、前記水渠の上端縁に掛かる前記横軸を支点として前後方向に揺動可能に支持され、
前記横軸は、前記前輪及び後輪を蓋受部に載せたときに水渠の上端縁よりも上方に離間する位置で前記荷台に固設されることを特徴とする水路蓋の設置運搬用台車装置。
【請求項２】
前記荷台には、その上面よりも低い位置で前方に張り出すノーズ部が一体に設けられ、そのノーズ部の横幅が前記水路部の横幅よりも小さく設定されていることを特徴とする請求項１記載の水路蓋の設置運搬用台車装置。
【請求項３】
前記前輪又は前記後輪の回転を抑止するブレーキ装置を備えていることを特徴とする請求項１、又は２記載の水路蓋の設置運搬用台車装置。
【請求項４】
前記荷台の上面に、その前後方向に沿って延びる凸条が並列状に設けられていることを特徴とする請求項１〜３のいずれか１項に記載の水路蓋の設置運搬用台車装置。
【手続補正２】
【補正対象書類名】明細書
【補正対象項目名】０００８
【補正方法】変更
【補正の内容】
【０００８】
本発明は上記目的を達成するため、
水路部の上端に当該水路部よりも幅広の蓋版を支持する左右一対の蓋受部が形成される水渠の上端開口部に前記蓋版を嵌め込む装置であり、
前記水渠の上端開口部よりも横幅が小さく設定されて上面に前記蓋版が載せられる荷台と、前記蓋受部に対応して前記荷台の底部両側に設けられる左右一対の前輪及び後輪と、前記荷台の後部両側縁より水平方向に突出する左右一対の横軸と、前記荷台の後端より当該荷台の上面側に突出して前記水渠上に立て置かれた蓋版を前記荷台に向けて倒し込むための引掛金具と、前記荷台を前傾姿勢にしたとき当該荷台の前端が前記蓋受部よりも上方となる位置で前記前輪と共に前記蓋受部に転がり接触する補助輪とを備え、
前記荷台は、前記引掛金具が下側となるようにして荷台を水渠上に起立させたとき、前記水渠の上端縁に掛かる前記横軸を支点として前後方向に揺動可能に支持され、
前記横軸は、前記前輪及び後輪を蓋受部に載せたときに水渠の上端縁よりも上方に離間する位置で前記荷台に固設されることを特徴とする。
【手続補正３】
【補正対象書類名】明細書
【補正対象項目名】００１０
【補正方法】変更
【補正の内容】
【００１０】
又、前記前輪又は前記後輪の回転を抑止するブレーキ装置を備えていることを特徴とする。
【手続補正４】
【補正対象書類名】明細書
【補正対象項目名】００１１
【補正方法】変更
【補正の内容】
【００１１】
更に、前記荷台の上面に、その前後方向に沿って延びる凸条が並列状に設けられていることを特徴とする。
【手続補正５】
【補正対象書類名】明細書
【補正対象項目名】００１２
【補正方法】変更
【補正の内容】
【００１２】
本発明に係る水路蓋の設置運搬用台車装置によれば、蓋版を載せる荷台の横幅が水渠の上端開口部の横幅よりも小さく設定されると共に、荷台の底部両側には水渠の蓋受部に対応して前後一対の前輪及び後輪が設けられることから、水渠の蓋受部を軌道にして、上面に蓋版が載せられた荷台を水渠の上端開口部内でその長さ方向に沿って走行移動させることができ、しかも荷台にはその後端より上面側に突出する引掛金具が設けられると共に、荷台はその引掛金具が下側となるようにして水渠上に起立させたとき、水渠の上端縁に掛かる横軸を支点として前後方向に揺動可能に支持されることから、水渠上に立て置かれた蓋版に沿って荷台を起立させた後、その荷台を蓋版とは反対側に傾けながら、蓋版を引掛金具によって荷台側に倒し込んで荷台上に容易に載せ置くことができる。
【手続補正６】
【補正対象書類名】明細書
【補正対象項目名】００２７
【補正方法】変更
【補正の内容】
【００２７】
次に、以上のように構成される台車装置の使用方法について説明すると、図８に示すように、水渠１上（図示例において蓋受部１２上）には上端開口部１３に嵌合設置すべき複数の蓋版１４が予め縦向きにして立て置かれる。そこで、その蓋版１４に荷台２を寄り添わすようにして同荷台２を水渠１上に起立させる。このとき、ノーズ部６ｂを把持して引掛金具４が下側となるようにし、左右の横軸５を水渠１の上端縁に掛けるのであり、この状態では図８、図９のように引掛金具４が蓋受部１２より少し下の水路部１１内に位置して蓋版１４の下に入り込み、荷台２はその後端（図８、図９の状態では下端）が蓋受部１２上に位置して横軸５を支点に前後方向に揺動可能となる。